(57)【要約】      （修正有）【課題】駐車料金を支払うために電子送金を効率的に行うための効率的なコンセプトを提供する。【解決手段】本発明は、駐車料金を支払うために電子送金を行う方法に関する。この方法は、次のステップ、駐車料金を支払う必要がある自動車のドライバの画像を撮影するステップ、撮影された画像からドライバの顔を検出するステップ、検出された顔を照会用の顔と比較するステップ、および検出された顔が照会用の顔と一致した場合に駐車料金を支払うために電子送金を開始するステップを含む。【選択図】図１
2018129047.tif 000002
【特許請求の範囲】
【請求項１】
駐車料金を支払うために電子送金を行う方法であって、
駐車料金を支払う必要がある自動車のドライバの画像を撮影するステップ（１０１）と、
撮影された画像からドライバの顔を検出するステップ（１０３）と、
検出された顔を照会用の顔と比較するステップ（１０５）と、
検出された顔が照会用の顔と一致した場合に、駐車料金を支払うために電子送金を開始するステップ（１０７）と、
を含む駐車料金を支払うために電子送金を行う方法。
【請求項２】
請求項１に記載の方法において、
遮断バー（３０５）によって閉鎖された駐車場（３０１）の出口（３０３）の画像を撮影し、電子送金を開始する前記ステップ（１０７）後に自動車を出すことができるように前記遮断バー（３０５）を自動的に開放する、
方法。
【請求項３】
請求項１または２に記載の方法において、
検出された顔が照会用の顔と一致した場合に、通信ネットワークを介して電子送金を開始するステップ（１０７）についての通知をネットワークアドレスに送信する、
方法。
【請求項４】
請求項１〜３のいずれか一項に記載の方法において、
検出された顔が照会用の顔と一致した場合に、電子送金を開始するステップ（１０７）の前に、通信ネットワークを介して送金確認の要求をネットワークアドレスに送信し、通信ネットワークを介して確認を受信した場合にのみ、ステップ（１０７）で電子送金を開始する、
方法。
【請求項５】
請求項１〜４のいずれか一項に記載の方法において、
さらに自動車のナンバープレートを照会用ナンバープレートと比較し、自動車のナンバープレートが照会用ナンバープレートと一致した場合にのみ、電子送金を開始する、
方法。
【請求項６】
駐車料金を支払うために電子送金を行うための装置（２０１）であって、
駐車料金を支払う必要がある自動車のドライバの画像を撮影するためのカメラ（２０３）と、
撮影された画像からドライバの顔を検出し、検出された顔を照合用の顔と比較するためのプロセッサ（２０５）を含み、
該プロセッサ（２０５）が、検出された顔が照合用の顔と一致した場合に、駐車料金を支払うために電子送金を開始するように構成されている、
駐車料金を支払うために電子送金を行うための装置（２０１）。
【請求項７】
請求項６に記載の装置（２０１）を含む自動車のための駐車場（３０１）。
【請求項８】
コンピュータプログラムであって、該コンピュータプログラムがコンピュータで実行された場合に請求項１〜５のいずれか一項に記載の方法を実施するためのプログラムコードを含むコンピュータブログラム。
【発明の詳細な説明】
【技術分野】
【０００１】
本発明は、駐車料金を支払うために電子送金を行うための方法および装置に関する。本発明は、さらに自動車のための駐車場、およびコンピュータプログラムに関する。
【背景技術】
【０００２】
ドイツ連邦共和国特許出願公開第１０２０１３２１３７４８号明細書は、自動車の駐車資格を監視するための方法および装置を開示している。
【０００３】
ドイツ連邦共和国特許出願公開第１０１２６０５０号明細書は、ユーザを検出する方法を開示している。
【先行技術文献】
【特許文献】
【０００４】
【特許文献１】ドイツ連邦共和国特許出願公開第１０２０１３２１３７４８号明細書
【特許文献２】ドイツ連邦共和国特許出願公開第１０１２６０５０号明細書
【発明の概要】
【発明が解決しようとする課題】
【０００５】
本発明の基礎をなす課題は、駐車料金を支払うために電子送金を効率的に行うための効率的なコンセプトを提供することである。
【課題を解決するための手段】
【０００６】
この課題は、独立請求項のそれぞれの対象によって解決される。本発明の好ましい構成がそれぞれ従属請求項の対象である。
【０００７】
一態様によれば、駐車料金を支払うために電子送金を行う方法であって、
駐車料金を支払う必要がある自動車のドライバの画像を撮影するステップ、
撮影された画像からドライバの顔を検出するステップ、
検出された顔を照会用の顔と比較するステップ、および
検出された顔が照会用の顔と一致した場合に、駐車料金を支払うために電子送金を開始するステップを含む方法が提供される。
【０００８】
別の一態様によれば、駐車料金を支払うために電子送金を行うための装置であって、
駐車料金を支払う必要がある自動車のドライバの画像を撮影するためのカメラ、および
撮影された画像からドライバの顔を検出し、検出された顔を照合用の顔と比較するためのプロセッサを含み、
プロセッサは、検出された顔が照合用の顔と一致した場合には、駐車料金を支払うために電子送金を開始するように構成されている装置が提供される。
【０００９】
別の一態様によれば、自動車のための駐車場であって、駐車料金を支払うために電子送金を行うための装置を含む駐車場が提供される。
【００１０】
別の一態様によれば、コンピュータプログラムであって、コンピュータプログラムがコンピュータ、特に装置のプロセッサで実行された場合に、駐車料金を支払うために電子送金を行う方法を実施するためのプログラムコードを含むコンピュータプログラムが提供される。
【００１１】
本発明は、駐車料金を支払う必要がある自動車のドライバの顔認識が、駐車料金を支払うために電子送金を開始すべきか否かを決定するために使用されることによって、上記課題を解決することができるという認識に基づいている。
【００１２】
駐車料金を支払うために電子送金を開始すべきか否かを決定するための基礎は、自動車のドライバに関連付けられている。これにより、特にドライバが、複数の異なる自動車のためにも駐車料金を支払うことができるという技術的な利点が得られる。電子送金を開始すべきか否かの基礎が所定の自動車にのみ関連づけられている場合には、ドライバは他の自動車のための電子送金を開始することができない。
【００１３】
したがって、好ましくは、ドライバには、複数の異なる自動車を駐車し、これらの異なる自動車のためにも電子送金の開始によって対応する駐車料金を支払う可能性が提供されている。
【００１４】
検出された顔が照会用の顔と一致した場合に電子送金が開始されることにより、ドライバは必ずしも自動車から離れて自動支払機まで歩いていく必要なない。これにより、例えば、ドライバが自動支払機まで歩いていく必要がある場合に比べて、支払プロセスをより迅速に行うことができるという技術的利点が得られる。
【００１５】
したがって、要約すれば、駐車料金を支払うために電子送金を効率的に行うための効率的なコンセプトを提供することができるという技術的な利点が得られる。
【００１６】
一実施形態によれば、遮断バーによって閉鎖された駐車場の出口の画像が撮影され、遮断バーは電子送金の開始後に自動車を出すため自動的に開放されるように構成されている。
【００１７】
これにより、例えば、電子送金が開始されてからはじめてドライバが自動車を駐車場から出すことができ、このようなことが効率的に確保されるという技術的な利点が得られる。したがって、自動車のドライバが駐車料金を支払うことなしに駐車場から出ることを効率的に防止することができるという技術的利点が得られる。
【００１８】
さらに、これにより、一般に行われているように、ドライバはもはや遮断バーが開放されるように遮断バーの周辺の自動券売機に駐車券を挿入する必要はない。したがって、ドライバは、例えば、もはやこのプロセスのために自動車の窓を回し下げるか、または押し下げる必要はない。
【００１９】
特に、これにより車を出すプロセスが効率的に構成される。
【００２０】
一実施形態によれば、検出された顔が照会用の顔と一致した場合には、通信ネットワークを介して電子送金の開始についての通知がネットワークアドレスに送信される。
【００２１】
これにより、例えば、電子送金の開始についての通知を効率的に提供することができるという技術的利点が得られる。
【００２２】
一実施形態では、検出された顔が照会用の顔と一致した場合には、電子送金の開始前に、通信ネットワークを介してネットワークアドレスに送金確認の要求が送信されるように構成されており、通信ネットワークを介して確認を受信した場合にのみ電子送金が開始される。
【００２３】
これにより、例えば悪用を効率的に防止できるという技術的利点が得られる。なぜなら、一実施形態によれば、電子送金を開始するために明確な確認が行われるからである。
【００２４】
本明細書の範囲では、ネットワークアドレスは、例えば端末、例えば移動端末、例えば移動電話に割り当てられている。端末は、例えば自動車に含まれている。端末は、例えば自動車に堅固に組み込まれている。端末は、例えば自動車の主要制御装置に含まれている。
【００２５】
端末、特に移動端末、例えば移動電話は、例えば自動車のドライバが所持する端末である。
【００２６】
したがって、特に電子送金の開始についての通知もしくは送金確認の要求をドライバに効率的に送信することができるという技術的利点が得られる。
【００２７】
本明細書の範囲では、通信ネットワークは、例えば移動無線ネットワークおよび／またはＷＬＡＮネットワークを含む。
【００２８】
別の一実施形態によれば、さらに自動車のナンバープレートが照会用ナンバープレートと比較され、自動車のナンバープレートが照会用ナンバープレートと一致した場合にのみ電子送金が開始される。
【００２９】
これにより、例えば、悪用を効率的に防止できるという技術的利点が得られる。なぜなら、この実施形態によれば、電子送金を開始するためには２つの前提が提供されているか、もしくは２つの条件が満たされている必要があるからである。
【００３０】
一方では、検出された顔は照会用の顔と一致している必要がある。他方では、自動車のナンバープレートは照会用ナンバープレートと一致している必要がある。
【００３１】
確かに、一実施形態によれば電子送金を開始すべきか否かを決定するための基礎は、さらに自動車に関連付けられている。しかしながら、電子送金が悪用によって開始されることを効率的に防止できることによって、このような可能な欠点は効率的に補われ、それ以上の成果が得られる。
【００３２】
なぜなら、このようにして、例えば許可されていないにもかかわらず電子送金を開始したい人は、顔を変装するだけでなく、ナンバープレートを偽造する必要もあるからである。
【００３３】
一実施形態によれば、自動車の画像が撮影され、撮影された自動車の画像からナンバープレートが検出される。
【００３４】
例えば、ドライバを含む自動車の画像が撮影され、撮影された画像からドライバの顔が検出され、自動車のナンバープレートも検出される。
【００３５】
一実施形態によれば、２つの別個の画像、例えば、自動車のドライバの画像および自動車の画像が撮影される。
【００３６】
一実施形態によれば、本発明による方法は本発明による装置を用いて実施または実現される。
【００３７】
一実施形態によれば、本発明による装置は、本発明による方法を実施または実現するように形成または構成されている。
【００３８】
方法の技術的機能は、装置のそれぞれの技術的機能から同様に得られ、またその逆もいえる。
【００３９】
すなわち、特に装置の特徴はそれぞれの方法の特徴から得られ、またその逆もいえる。
【００４０】
一実施形態によれば、駐車場は入口を含む。
【００４１】
一実施形態によれば、駐車場は出口を含む。
【００４２】
一実施形態によれば、入口もしくは出口は、入口もしくは出口を閉鎖することができる遮断バーをそれぞれ備えている。
【００４３】
一実施形態によれば、駐車場の出口には、自動車のドライバもしくは自動車の画像を撮影するためにカメラが設けられている。
【００４４】
一実施形態によれば、カメラはビデオカメラである。
【００４５】
駐車場は、例えば駐車場ビルまたは立体駐車場である。
【００４６】
本明細書の範囲では、確定は、特に決定または定義を意味する。
【００４７】
「もしくは」という表現は、特に「および／または」という表現を含む。
【００４８】
次に、好ましい実施例に基づいて本発明を詳細に説明する。
【図面の簡単な説明】
【００４９】
【図１】電子送金を行う方法を示すフロー図である。
【図２】電子送金を行うための装置を示す図である。
【図３】自動車のための駐車場を示す図である。
【発明を実施するための形態】
【００５０】
図１は、駐車料金を支払うために電子送金を行う方法を示すフロー図である。
【００５１】
ステップ１０１によれば、駐車料金を支払う必要がある自動車のドライバの画像が撮影される。
【００５２】
例えば、ドライバは自動車に乗っており、ドライバの画像が撮影されるときには自動車は駐車場の出口の閉鎖された遮断バーの前にいる。
【００５３】
一実施形態によれば、ドライバの画像はカメラ、例えばビデオカメラによって撮影される。
【００５４】
ステップ１０３では、撮影された画像からドライバの顔が検出される。検出するステップ１０３は、例えば顔認識を含む。
【００５５】
ステップ１０５では、検出された顔が照会用の顔と比較される。
【００５６】
照会用の顔は、例えば、多数の照会用の顔を保存するデータバンクに保存されている。
【００５７】
例えば、登録プロセスの範囲で、ドライバの顔が一度だけ登録される。すなわち、例えば登録プロセスの範囲で、ドライバの顔が撮影され、照会用の顔としてデータバンクに保存される。
【００５８】
検出された顔が照会用の顔と一致した場合には、ステップ１０７で、駐車料金を支払うために電子送金が開始されるように構成されている。
【００５９】
比較するステップ１０５で、検出された顔が照会用の顔と一致しないことが明らかになった場合には、一実施例によれば、自動車のドライバの画像が再度撮影され、ステップ１０３および１０５も同様に繰り返される。この再度の撮影時には、例えばドライバは最初の撮影時とは異なる照明によって照射される。
【００６０】
これにより、例えば、照明が最適に適合されてないことに基づいた検出エラーを除外することができるという技術的な利点が得られる。
【００６１】
比較するステップ１０５で、検出された顔が照会用の顔と一致しないことが明らかになった場合（すなわち、例えば顔が認識されない場合）には、一実施形態によれば、不一致についての音声通知および／または視覚通知がインフラストラクチャから出力される。このために、インフラストラクチャは、例えば聴覚信号発生器、例えばスピーカおよび／または光学信号発生器、例えば電子表示板またはディスプレイを含む。
【００６２】
比較するステップ１０５で、検出された顔が照会用の顔と一致しないことが明らかになった場合（すなわち、例えば顔が認識されない場合）には、一実施形態によれば、駐車場の出口を閉鎖する遮断バーは閉鎖状態に保持され、開放されず、したがって、自動車は、例えば立体駐車場である駐車場から出ることができない。
【００６３】
例えば、比較するステップ１０５で、検出された顔が照会用の顔と一致しないことが明らかになった場合には、一実施形態によれば、不一致についての通知が通信ネットワークを介してネットワークアドレスに送信される。ネットワークアドレスは、例えばドライバが所持する移動端末、例えば移動電話のネットワークアドレスである。したがって、ドライバを効率的に認識することができるという特に技術的利点が得られ、ドライバの顔が保存または登録されている照会用の顔と一致しないか、もしくはドライバの顔を認識することができかった場合には、ドライバは、例えば手動で支払いを行うように要求され、この場合にドライバは、例えば自動支払機まで歩き、そこで駐車料金を支払う。
【００６４】
図２は、駐車料金を支払うために電子送金を行うための装置２０１を示す。
【００６５】
装置２０１は、
駐車料金を支払う必要がある自動車のドライバの画像を撮影するためのカメラ２０３、および、
撮影された画像からドライバの顔を検出し、
検出された顔を照合用の顔と比較するためのプロセッサ２０５を含み、
プロセッサ２０５は、検出された顔が照合用の顔と一致した場合には、駐車料金を支払うために電子送金を開始するように構成されている。
【００６６】
一実施形態によれば、プロセッサ２０５は、駐車場の出口の遮断バーを制御し、検出された顔が照合用の顔と一致することが比較によって明らかになった場合には遮断バーを開くように構成されている。
【００６７】
従って、例えばプロセッサ２０５は、駐車場の出口の遮断バーを制御するように構成されている。
【００６８】
一実施形態によれば、装置２０１は通信インターフェイスを含む。
【００６９】
一実施形態によれば、通信インターフェイスは、検出された顔が照会用の顔と一致した場合には、通信ネットワークを介して電子送金の開始についての情報をネットワークアドレスに送信するように構成されている。
【００７０】
一実施形態によれば、通信インターフェイスは、検出された顔が照会用の顔と一致した場合には、電子送金の開始前に、通信ネットワークを介してネットワークアドレスに送金ごとに確認の要求を送信するように構成されている。
【００７１】
一実施形態によれば、通信インターフェイスは、通信ネットワークを介して確認を受信するように構成されている。
【００７２】
一実施形態によれば、プロセッサ２０５は、通信ネットワークを介して確認を受信した場合にのみ電子送金を開始するように構成されている。
【００７３】
一実施形態によれば、カメラ２０３は自動車の画像を撮影するように構成されている。
【００７４】
一実施形態によれば、プロセッサ２０５は、撮影された自動車の画像から自動車のナンバープレートを検出するように構成されている。
【００７５】
一実施形態によれば、プロセッサ２０５は、検出されたナンバープレートを照会用ナンバープレートと比較するように構成されている。
【００７６】
一実施形態によれば、プロセッサ２０５は、自動車のナンバープレートが、照会用ナンバープレートと一致した場合にのみ電子送金を開始するように構成されている。
【００７７】
一実施形態によれば、多数の照会用の顔が保存されたデータバンクが設けられている。
【００７８】
一実施形態によれば、上記データバンクには、多数の照会用ナンバープレートが保存されている。
【００７９】
例えば、登録プロセスの範囲で、ドライバは、照会用ナンバープレートとして１つ以上の自動車用の１つ以上のナンバープレートを指定する。
【００８０】
図３は、自動車のための駐車場３０１を示す。
【００８１】
駐車場３０１は、自動車を駐車することができる複数の駐車スペースを（図示しない）含む。
【００８２】
駐車場３０１は、遮断バー３０５によって閉鎖することができる出口３０３を含む。
【００８３】
駐車場３０１は、図２に示した装置２０１を含む。
【００８４】
本発明によるコンセプトの可能な使用状況は、例えば次のとおりである、
駐車時間の終了後に、ドライバは駐車場３０１内に駐車していた自動車を出口３０３まで運転し、閉鎖されている遮断バー３０５の前で停止する。出口３０３にはドライバの画像を撮影するカメラ２０３が配置されている。プロセッサ２０５は、撮影された画像からドライバの顔を検出し、この検出された顔を照会用の顔と比較する。
【００８５】
検出された顔が照会用の顔と一致した場合には、プロセッサ２０５は電子送金を開始する。続いてプロセッサ２０５は遮断バー３０５を制御し、ドライバが自動車を駐車場３０１の外へ出すことができるように遮断バーを開放する。
【００８６】
このようにして、ドライバは、駐車場３０１内に複数の自動車を駐車することが可能である。
【００８７】
一実施形態によれば、出口３０３には遮断バーがない。すなわち、例えば遮断バー３０５は出口３０３には設けられていない。一実施形態によれば、ドライバは、駐車場３０１から外へ運転して出るときにカメラ２０３によって撮影される。顔を検出し、比較し、一致した場合に電子送金を開始するさらなるステップは、上記実施例と同様である。
【００８８】
一実施形態によれば、検出された顔が照会用の顔と一致しない場合には、１つ以上の動作が制御されるか、もしくは措置が開始される。動作または措置は、例えば警備員もしくは警官による警報である。他の措置または動作は、例えばレッカー車の要求である。他の措置は、例えば後の時点で証拠を確保するために状況のビデオを撮影することである。
【符号の説明】
【００８９】
１０１  ステップ
１０３  ステップ
１０５  ステップ
１０７  ステップ
２０１  装置
２０３  カメラ
２０５  プロセッサ
３０１  駐車場
３０３  出口
３０５  遮断バー
【図１】
2018129047.tif 000003
【図２】
2018129047.tif 000004
【図３】
2018129047.tif 000005
【外国語明細書】
2018129047000001.pdf